(57)【要約】  バッテリーシステムは、第１金属端プレートを含む。前記第１金属端プレートの第１側は、傾斜を有する第１および第２表面および第１溝を有する。前記バッテリーシステムは、第１端部と第２端部がある第１パウチハウジングを有する第１パウチバッテリーセルをさらに含む。前記第１端部は、第１延長部および傾斜を有する第１端部表面と第２端部表面を有する。前記第１パウチバッテリーセルは、前記第１パウチバッテリーセルの第１延長部が前記第１金属端プレートの前記第１溝内に配置され、前記第１パウチバッテリーセルの傾斜を有する第１および第２端部表面は、前記第１金属端プレートの傾斜を有する第１および第２表面それぞれの第１および第２熱伝導性接着部上にこれらに対向してそれぞれ配置されるように前記第１金属端プレートに結束される。
2019501502.tif 000002
【特許請求の範囲】
【請求項１】
バッテリーシステムであって、
第１側および第２側を有する第１金属端プレートであって、前記第１金属端プレートの第１側は、傾斜を有する第１表面と第２表面および第１溝を有し、前記第１金属端プレートの傾斜を有する第１表面と第２表面は、前記第１金属端プレート内部に互いに向かって延長され、前記第１金属端プレートの第１溝は、前記第１金属端プレートの傾斜を有する第１表面と第２表面の第１端部と第２端部の間にそれぞれ配置され、前記第１金属端プレート内部にさらに延長される第１金属端プレートと、
第１端部および第２端部がある第１パウチハウジングを有する第１パウチバッテリーセルであって、前記第１パウチハウジングの第１端部は、第１延長部および傾斜を有する第１端部表面と第２端部表面を有し、前記第１パウチハウジングの第１延長部は、第１端部および第２端部を有し、前記第１パウチハウジングの傾斜を有する第１端部表面は、前記第１パウチハウジングの第１延長部の第１端部から延長され、前記第１パウチハウジングの傾斜を有する第２端部表面は、前記第１パウチハウジングの第１延長部の第１端部から延長されて前記第１パウチハウジングの傾斜を有する第１端部表面から遠くなるように延長される第１パウチバッテリーセルと、
前記第１金属端プレートの傾斜を有する第１端部表面と第２端部表面上にそれぞれ配置される第１および第２熱伝導性接着部と、
を含み、
前記第１パウチバッテリーセルは、前記第１パウチバッテリーセルの第１延長部が前記第１金属端プレートの前記第１溝内に配置され、前記第１パウチバッテリーセルの傾斜を有する第１および第２端部表面は、前記第１金属端プレートの傾斜を有する第１および第２表面それぞれの第１および第２熱伝導性接着部上にこれらに対向してそれぞれ配置されるように前記第１金属端プレートに結束され、
前記第１金属端プレートの第２側は、第１および第２指部と第１収容表面を有する第１収容ブラケットを有し、前記第１金属端プレートの第１収容表面は、前記第１金属端プレートの第１および第２指部により少なくとも部分的に定義され、前記第１金属端プレートの第１収容ブラケット内部に延長され、
第１導管部分が前記第１収容ブラケットの第１収容表面に対向して配置され、前記第１金属端プレートの第１および第２指部の間に配置され、前記第１導管部分は、前記第１金属端プレートが前記第１パウチバッテリーセルから冷媒内部に熱エネルギーを伝達するように自分を通して流れる冷媒を有することを特徴とするバッテリーシステム。
【請求項２】
前記第１収容ブラケットの第１収容表面上に配置されて前記第１導管部分を前記第１収容ブラケットに結束させる第３熱伝導性接着部をさらに含むことを特徴とする、請求項１に記載のバッテリーシステム。
【請求項３】
前記第１パウチハウジングの第２端部は、第２延長部を有し、前記第２延長部の長さは、前記第１延長部の長さより大きいことを特徴とする、請求項１に記載のバッテリーシステム。
【請求項４】
前記第１金属端プレートは、傾斜を有する第３表面と第４表面および第２溝を有し、前記第１金属端プレートの傾斜を有する第３表面と第４表面は、前記第１金属端プレート内部に互いに向かって延長され、前記第１金属端プレートの第２溝は、前記第１金属端プレートの傾斜を有する第３表面と第４表面の第１端部と第２端部の間にそれぞれ配置され、前記第１金属端プレート内部にさらに延長され、
前記バッテリーシステムは、
第１端部および第２端部がある第２パウチハウジング、および前記バッテリーシステムの第１端部と第２端部の間に配置される第１主表面を有する第２パウチバッテリーセルを有し、
前記第２パウチバッテリーセルの第１主表面は、前記第１パウチバッテリーセルの第１主表面上にこれに直接対向して配置され、
前記第２パウチハウジングの第１端部は、第１延長部および傾斜を有する第１端部表面と第２端部表面を有し、前記第２パウチハウジングの第１延長部は、第１端部および第２端部を有し、前記第２パウチハウジングの傾斜を有する第１端部表面は、前記第２パウチハウジングの第１延長部の第１端部から延長され、前記第２パウチハウジングの傾斜を有する第２端部表面は、前記第２パウチハウジングの第１延長部の第１端部から延長されて前記第２パウチハウジングの傾斜を有する第１端部表面から遠くなるように延長され、
第３および第４熱伝導性接着部が前記第１金属端プレートの傾斜を有する第３端部表面と第４端部表面上にそれぞれ配置され、
前記第２パウチバッテリーセルは、前記第２パウチバッテリーセルの第１延長部が前記第１金属端プレートの前記第２溝内に配置され、前記第２パウチバッテリーセルの傾斜を有する第１および第２端部表面は、前記第１金属端プレートの傾斜を有する第３表面と第４表面それぞれの上の前記第１金属端プレートの傾斜を有する第１および第２表面それぞれの第３および第４熱伝導性接着部上にこれらに対向してそれぞれ配置されるように前記第１金属端プレートに結束されることを特徴とする、請求項１に記載のバッテリーシステム。
【請求項５】
前記第１金属端プレートは、アルミニウムから構成されることを特徴とする、請求項１に記載のバッテリーシステム。
【請求項６】
第１側および第２側を有する第２金属端プレートであって、前記第２金属端プレートの第１側は、傾斜を有する第１表面と第２表面および第１溝を有し、前記第２金属端プレートの傾斜を有する第１表面と第２表面は、前記第２金属端プレート内部に互いに向かって延長され、前記第２金属端プレートの第１溝は、前記第２金属端プレートの傾斜を有する第１表面と第２表面の第１端部と第２端部の間にそれぞれ配置され、前記第２金属端プレート内部にさらに延長される第２金属端プレートをさらに含み、
前記第１パウチバッテリーセルの第１パウチハウジングの第２端部は、第２延長部および傾斜を有する第３端部表面と第４端部表面を有し、前記第１パウチハウジングの第２延長部は、第１端部および第２端部を有し、前記第１パウチハウジングの傾斜を有する第３端部表面は、前記第１パウチハウジングの第２延長部の第１端部から延長され、前記第１パウチハウジングの傾斜を有する第４端部表面は、前記第１パウチハウジングの第２延長部の第１端部から延長されて前記第１パウチハウジングの傾斜を有する第３端部表面から遠くなるように延長され、
前記第１パウチバッテリーセルは、前記第１パウチバッテリーセルの第２延長部が前記第２金属端プレートの第１溝内に配置され、前記第１パウチバッテリーセルの傾斜を有する第３端部表面と第４端部表面は、前記第２金属端プレートの傾斜を有するそれぞれの第１表面と第２表面上の前記第３および第４熱伝導性接着部上にこれらに対向してそれぞれ配置されるように第２金属端プレートにさらに結束され、
前記第２金属端プレートの第２側は、第１および第２指部および第１収容表面がある第１収容ブラケットを有し、前記第２金属端プレートの第１収容表面は、前記第２金属端プレートの第１および第２指部により少なくとも部分的に定義され、前記第２金属端プレートの第１収容ブラケット内部に延長され、
第２導管部分が前記第２収容ブラケットの第１収容表面上に配置され、前記第２金属端プレートの第１および第２指部の間に配置され、前記第２導管部分は、前記第２金属端プレートが前記第１パウチバッテリーセルから前記冷媒に熱エネルギーを伝達するように前記導管部分を通して流れる冷媒を有することを特徴とする、請求項１に記載のバッテリーシステム。
【請求項７】
前記第２金属端プレートは、アルミニウムから構成されることを特徴とする、請求項６に記載のバッテリーシステム。
【発明の詳細な説明】
【技術分野】
【０００１】
（関連出願の相互参照）
本出願は、２０１６年１１月２日に出願された米国仮特許出願第６２／４１６，３９１号と２０１６年１１月２３日に出願された米国特許出願１５／３５９，９８３号に対する優先権を主張し、前記出願の全体内容は参照として本明細書に組み込まれる。
【０００２】
本発明は、バッテリーシステムに関する。
【背景技術】
【０００３】
従来のバッテリーシステムが多数のバッテリーセルを含む時、前記バッテリーセルを冷却するためにバッテリーセルの間に冷却ピンを配置する冷却システムが使用されているが、これはバッテリーシステムの体積と重量を増加させ、バッテリーセルの電極端子部位で発生する熱を効果的に伝達することができないという問題点があった。
【０００４】
そこで、本発明の発明者らは、バッテリーモジュールのパウチバッテリーセルの間に配置される冷却ピンを用いることなく、パウチバッテリーセルの端部に結束される金属端プレートを活用して前記パウチバッテリーセルから熱エネルギーを、金属端プレートを通して流れる冷媒に伝達する向上したバッテリーシステムの必要性を認識した。
【発明の概要】
【発明が解決しようとする課題】
【０００５】
本発明は、従来の技術の問題点と過去から要請されてきた技術的課題を解決することを目的とする。
【０００６】
本出願の発明者らは、深い研究と多様な実験を重ねた結果、バッテリーモジュールのパウチバッテリーセルの間に配置される冷却ピンを用いることなく、パウチバッテリーセルの端部に結束される金属端プレートを活用してパウチバッテリーセルから熱エネルギーを、金属端プレートを通して流れる冷媒に伝達するようにすることによって、バッテリーシステムの全体体積と重量を減らすことができるだけでなく、向上した冷却システムを実現することができることを確認した上で、本発明を完成するに至った。
【課題を解決するための手段】
【０００７】
一実施例によるバッテリーシステムが提供される。前記バッテリーシステムは、第１側および第２側を有する第１金属端プレートを含む。前記第１金属端プレートの第１側は、傾斜を有する第１表面と第２表面および第１溝を有する。前記第１金属端プレートの傾斜を有する第１表面と第２表面は、前記第１金属端プレートの内側に、且つ互いに向かって延長される。前記第１金属端プレートの第１溝は、前記第１金属端プレートの前記傾斜を有する第１表面と第２表面の第１端部と第２端部の間にそれぞれ配置され、前記第１金属端プレート内部にさらに延長される。前記バッテリーシステムは、第１端部と第２端部がある第１パウチハウジングを有する第１パウチバッテリーセルをさらに含む。前記第１パウチハウジングの第１端部は、第１延長部および傾斜を有する第１端部表面と第２端部表面を有する。前記第１パウチハウジングの第１延長部は、第１端部と第２端部を有する。前記第１パウチハウジングの傾斜を有する第１端部表面は、前記第１パウチハウジングの第１延長部の第１端部から延長される。前記第１パウチハウジングの傾斜を有する第２端部表面は、前記第１パウチハウジングの第１延長部の第１端部から延長されて前記第１パウチハウジングの傾斜を有する第１端部表面から遠くなるように延長される。前記バッテリーシステムは、前記第１金属端プレートの傾斜を有する第１表面と第２表面上にそれぞれ配置される第１および第２熱伝導性接着部をさらに含む。前記第１パウチバッテリーセルは、前記第１パウチバッテリーセルの第１延長部が前記第１金属端プレートの前記第１溝内に配置され、前記第１パウチバッテリーセルの傾斜を有する第１および第２端部表面は、前記第１金属端プレートの傾斜を有する第１および第２表面それぞれの第１および第２熱伝導性接着部上にこれらに対向してそれぞれ配置されるように前記第１金属端プレートに結束される。前記第１金属端プレートの第２側は、第１および第２指部および第１収容表面を有する第１収容ブラケットを有する。前記第１金属端プレートの第１収容表面は、前記第１金属端プレートの第１および第２指部により少なくとも部分的に定義され、前記第１金属端プレートの第１収容ブラケット内部に延長される。前記バッテリーシステムは、前記第１収容ブラケットの第１収容表面に対向して配置され、前記第１金属端プレートの第１および第２指部の間に配置される第１導管をさらに含む。前記第１導管は、前記第１金属端プレートが前記第１パウチバッテリーセルから冷媒内部に熱エネルギーを伝達するように自分を通して流れる冷媒を有する。
【発明の効果】
【０００８】
本発明の電池パックによれば、バッテリーモジュールのパウチバッテリーセルの間に配置される冷却ピンを用いることなく、パウチバッテリーセルの端部に結束される金属端プレートを活用してパウチバッテリーセルから熱エネルギーを、金属端プレートを通して流れる冷媒に伝達するようにすることによって、バッテリーシステムの全体体積と重量を減らすことができるだけでなく、向上した冷却システムを実現することができる。
【図面の簡単な説明】
【０００９】
【図１】一実施例によるバッテリーシステムを有する電力供給システム、および冷媒供給システムの概略図である。
【図２】図１の電力供給システムの他の概略図である。
【図３】図１の電力供給システムで活用されたバッテリーモジュールの概略図である。
【図４】図３のバッテリーモジュールの概略的破砕図である。
【図５】図３のバッテリーモジュールの他の概略的破砕図である。
【図６】図３のバッテリーモジュールの断面の線６−６による概略的断面図である。
【図７】図３のバッテリーモジュールの部分の拡大された概略的断面図である。
【図８】図３のバッテリーモジュールの部分の他の拡大された概略的断面図である。
【図９】図３のバッテリーモジュールで活用された第１金属端プレートの概略図である。
【図１０】図９の第１金属端プレートの他の概略図である。
【図１１】図３のバッテリーモジュールで活用された第２金属端プレートの概略図である。
【図１２】図１１の第２金属端プレートの他の概略図である。
【図１３】図３のバッテリーモジュールで活用された相互連結ボードの概略図である。
【図１４】図１３の相互連結ボードの他の概略図である。
【図１５】図３のバッテリーモジュールで活用された側面部材の概略図である。
【図１６】図１５の側面部材の他の概略図である。
【図１７】図９の第１金属端プレートおよびパウチバッテリーセルの拡大部の概略図である。
【図１８】図９の第１金属端プレートの代替的実施例およびパウチバッテリーセルの拡大部の概略図である。
【発明を実施するための形態】
【００１０】
図１〜図１６を参照すれば、一実施例によるバッテリーシステム２０を有する電力供給システム１０および冷媒供給システム２２が提供される。
【００１１】
図４、図６、および図７を参照すれば、前記バッテリーシステム２０は、パウチバッテリーセル４０，４２，４４，４６，４８，５０，５２，５４，５６，５８，６０，６２，６４，６６，６８，７０、第１金属端プレート９０、導管９２、第２金属端プレート１００、導管１０２、熱伝導性がある接着部分１１０，１１２，１１４，１１６，１１８，１２０，１２２，１２４，１２６，１２８，１３０１３２，１３４，１３６，１３８，１４０，１４２，１４４，１４６，１４８，１５０，１５２，１５４，１５６，１５８，１６０，１６２，１６４，１６６，１６８，１７０，１７２，２１０，２１２，２１４，２１６，２１８，２２０，２２２，２２４，２２６，２２８，２３０，２３２，２３４，２３６，２３８，２４０，２４２，２４４，２４６，２４８，２５０，２５２，２５４，２５６，２５８，２６０，２６２，２６４，２６６，２６８，２７０，２７２、端部プレート３００，３０２、泡層３１０，３１２，３１４，３１６，３１８，３２０，３２２，３２４，３２６、相互連結ボード３３０、カバー３３２、側面部材３３４、および軸部材３４０，３４２，３５０，３５２を含む。
【００１２】
理解の便宜のために、前記金属端プレート９０（および金属端プレート１０２）の傾斜を有する表面は、図１７に示されているように、傾斜を有する平らな表面、または図１８に示されているように、傾斜を有する（金属端プレート９０’上の）アーチ形態の表面のうちの一つであってもよい。また、前記各パウチバッテリーセルの傾斜を有する端部表面は、図１７に示されているように、傾斜を有する平らな端部表面、または図１８に示されているように、熱伝導性を有する接着部１１０’，１１２’に結束される傾斜を有する（パウチバッテリーセル４０’上の）アーチ形態の端部表面のうちの一つであってもよい。また、導管部は、導管部分を含む。
【００１３】
図６〜図８を参照すれば、前記パウチバッテリーセル４０は、第１および第２金属端プレート９０，１００すべてに結束される。前記パウチバッテリーセル４０は、パウチハウジング４００、前記パウチハウジング４００から外側に延長される第１および第２電気端子４０２，４０４（図４に図示）を含む。前記パウチハウジング４００は、第１端部４０６、第２端部４０８、および主表面４１０，４１２を含む。前記第１端部４０６は、延長部４２０および傾斜を有する端部表面４２２，４２４を含む。前記延長部４２０は、第１端部および第２端部を有する。前記傾斜を有する端部表面４２２は、前記延長部４２０の第１端部から延長される。前記傾斜を有する端部表面４２４は、前記延長部４２０の第１端部から延長されて前記傾斜を有する端部表面４２２の外側に延長される。前記第２端部４０８は、延長部４３０および傾斜を有する端部表面４３２，４３４を含む。前記延長部４３０は、第１端部および第２端部を有する。前記傾斜を有する端部表面４３２は、前記延長部４３０の第１端部から延長される。前記傾斜を有する端部表面４３４は、前記延長部４３０の第１端部から延長されて前記傾斜を有する端部表面４３２の外側に延長される。
【００１４】
前記パウチバッテリーセル４２は、第１および第２金属端プレート９０，１００すべてに結束される。前記パウチバッテリーセル４２は、パウチハウジング４４０、前記パウチハウジング４４０から外側に延長される第１および第２電気端子（図４に図示）を含む。前記パウチハウジング４４０は、第１端部４４６、第２端部４４８、および主表面４５０，４５２を含む。前記第１端部４４６は、延長部４６０および傾斜を有する端部表面４６２，４６４を含む。前記延長部４６０は、第１端部および第２端部を有する。前記傾斜を有する端部表面４６２は、前記延長部４６０の第１端部から延長される。前記傾斜を有する端部表面４６４は、前記延長部４６０の第１端部から延長されて前記傾斜を有する端部表面４６２の外側に延長される。前記第２端部４４８は、延長部４７０および傾斜を有する端部表面４７２，４７４を含む。前記延長部４７０は、第１端部および第２端部を有する。前記傾斜を有する端部表面４７２は、前記延長部４７０の第１端部から延長される。前記傾斜を有する端部表面４７４は、前記延長部４７０の第１端部から延長されて前記傾斜を有する端部表面４７２の外側に延長される。
【００１５】
前記パウチバッテリーセル４４は、第１および第２金属端プレート９０，１００すべてに結束される。前記パウチバッテリーセル４４は、パウチハウジング４８０、前記パウチハウジング４８０から外側に延長される第１および第２電気端子を含む。前記パウチハウジング４８０は、第１端部４８６、第２端部４８８、および主表面４９０，４９２を含む。前記第１端部４８６は、延長部５００および傾斜を有する端部表面５０２，５０４を含む。前記延長部５００は、第１端部および第２端部を有する。前記傾斜を有する端部表面５０２は、前記延長部５００の第１端部から延長される。前記傾斜を有する端部表面５０４は、前記延長部５００の第１端部から延長されて前記傾斜を有する端部表面５０２の外側に延長される。前記第２端部４８８は、延長部５１０および傾斜を有する端部表面５１２，５１４を含む。前記延長部５１０は、第１端部および第２端部を有する。前記傾斜を有する端部表面５１２は、前記延長部５１０の第１端部から延長される。前記傾斜を有する端部表面５１４は、前記延長部５１０の第１端部から延長されて前記傾斜を有する端部表面５１２の外側に延長される。
【００１６】
前記パウチバッテリーセル４６は、第１および第２金属端プレート９０，１００すべてに結束される。前記パウチバッテリーセル４６は、パウチハウジング５２０、前記パウチハウジング５２０から外側に延長される第１および第２電気端子を含む。前記パウチハウジング５２０は、第１端部５２６、第２端部５２８、および主表面５３０，５３２を含む。前記第１端部５２６は、延長部５４０および傾斜を有する端部表面５４２，５４４を含む。前記延長部５４０は、第１端部および第２端部を有する。前記傾斜を有する端部表面５４２は、前記延長部５４０の第１端部から延長される。前記傾斜を有する端部表面５４４は、前記延長部５４０の第１端部から延長されて前記傾斜を有する端部表面５４２の外側に延長される。前記第２端部５２８は、延長部５５０および傾斜を有する端部表面５５２，５５４を含む。前記延長部５５０は、第１端部および第２端部を有する。前記傾斜を有する端部表面５５２は、前記延長部５５０の第１端部から延長される。前記傾斜を有する端部表面５５４は、前記延長部５５０の第１端部から延長されて前記傾斜を有する端部表面５５２の外側に延長される。
【００１７】
前記パウチバッテリーセル４８は、第１および第２金属端プレート９０，１００すべてに結束される。前記パウチバッテリーセル４８は、パウチハウジング５６０、前記パウチハウジング５６０から外側に延長される第１および第２電気端子を含む。前記パウチハウジング５６０は、第１端部５６６、第２端部５６８、および主表面５７０，５７２を含む。前記第１端部５６６は、延長部５８０および傾斜を有する端部表面５８２，５８４を含む。前記延長部５８０は、第１端部および第２端部を有する。前記傾斜を有する端部表面５８２は、前記延長部５８０の第１端部から延長される。前記傾斜を有する端部表面５８４は、前記延長部５８０の第１端部から延長されて前記傾斜を有する端部表面５８２の外側に延長される。前記第２端部５６８は、延長部５９０および傾斜を有する端部表面５９２，５９４を含む。前記延長部５９０は、第１端部および第２端部を有する。前記傾斜を有する端部表面５９２は、前記延長部５９０の第１端部から延長される。前記傾斜を有する端部表面５９４は、前記延長部５９０の第１端部から延長されて前記傾斜を有する端部表面５９２の外側に延長される。
【００１８】
前記パウチバッテリーセル５０は、第１および第２金属端プレート９０，１００すべてに結束される。前記パウチバッテリーセル５０は、パウチハウジング６００、前記パウチハウジング６００から外側に延長される第１および第２電気端子を含む。前記パウチハウジング６００は、第１端部６０６、第２端部６０８、および主表面６１０，６１２を含む。前記第１端部６０６は、延長部６２０および傾斜を有する端部表面６２２，６２４を含む。前記延長部６２０は、第１端部および第２端部を有する。前記傾斜を有する端部表面６２２は、前記延長部６２０の第１端部から延長される。前記傾斜を有する端部表面６２４は、前記延長部６２０の第１端部から延長されて前記傾斜を有する端部表面６２２の外側に延長される。前記第２端部６０８は、延長部６３０および傾斜を有する端部表面６３２，６３４を含む。前記延長部６３０は、第１端部および第２端部を有する。前記傾斜を有する端部表面６３２は、前記延長部６３０の第１端部から延長される。前記傾斜を有する端部表面６３４は、前記延長部６３０の第１端部から延長されて前記傾斜を有する端部表面６３２の外側に延長される。
【００１９】
前記パウチバッテリーセル５２は、第１および第２金属端プレート９０，１００すべてに結束される。前記パウチバッテリーセル５２は、パウチハウジング６４０、前記パウチハウジング６４０から外側に延長される第１および第２電気端子を含む。前記パウチハウジング６４０は、第１端部６４６、第２端部６４８、および主表面６５０，６５２を含む。前記第１端部６４６は、延長部６６０および傾斜を有する端部表面６６２，６６４を含む。前記延長部６６０は、第１端部および第２端部を有する。前記傾斜を有する端部表面６６２は、前記延長部６６０の第１端部から延長される。前記傾斜を有する端部表面６６４は前記延長部６６０の第１端部から延長されて前記傾斜を有する端部表面６６２の外側に延長される。前記第２端部６４８は、延長部６７０および傾斜を有する端部表面６７２，６７４を含む。前記延長部６７０は、第１端部および第２端部を有する。前記傾斜を有する端部表面６７２は、前記延長部６７０の第１端部から延長される。前記傾斜を有する端部表面６７４は、前記延長部６７０の第１端部から延長されて前記傾斜を有する端部表面６７２の外側に延長される。
【００２０】
前記パウチバッテリーセル５４は、第１および第２金属端プレート９０，１００すべに結束される。前記パウチバッテリーセル５４は、パウチハウジング６８０、前記パウチハウジング６８０から外側に延長される第１および第２電気端子を含む。前記パウチハウジング６８０は、第１端部６８６、第２端部６８８、および主表面６９０，６９２を含む。前記第１端部６８６は、延長部７００および傾斜を有する端部表面７０２，７０４を含む。前記延長部７００は、第１端部および第２端部を有する。前記傾斜を有する端部表面７０２は、前記延長部７００の第１端部から延長される。前記傾斜を有する端部表面７０４は前記延長部７００の第１端部から延長されて前記傾斜を有する端部表面７０２の外側に延長される。前記第２端部６８８は、延長部７１０および傾斜を有する端部表面７１２，７１４を含む。前記延長部７１０は、第１端部および第２端部を有する。前記傾斜を有する端部表面７１２は、前記延長部７１０の第１端部から延長される。前記傾斜を有する端部表面７１４は、前記延長部７１０の第１端部から延長されて前記傾斜を有する端部表面７１２の外側に延長される。
【００２１】
前記パウチバッテリーセル５６は、第１および第２金属端プレート９０，１００すべてに結束される。前記パウチバッテリーセル５６は、パウチハウジング７２０、前記パウチハウジング７２０から外側に延長される第１および第２電気端子を含む。前記パウチハウジング７２０は、第１端部７２６、第２端部７２８、および主表面７３０，７３２を含む。前記第１端部７２６は、延長部７４０および傾斜を有する端部表面７４２，７４４を含む。前記延長部７４０は、第１端部および第２端部を有する。前記傾斜を有する端部表面７４２は、前記延長部７４０の第１端部から延長される。前記傾斜を有する端部表面７４４は、前記延長部７４０の第１端部から延長されて前記傾斜を有する端部表面７４２の外側に延長される。前記第２端部７２８は、延長部７５０および傾斜を有する端部表面７５２，７５４を含む。前記延長部７５０は、第１端部および第２端部を有する。前記傾斜を有する端部表面７５２は前記延長部７５０の第１端部から延長される。前記傾斜を有する端部表面７５４は、前記延長部７５０の第１端部から延長されて前記傾斜を有する端部表面７５２の外側に延長される。
【００２２】
前記パウチバッテリーセル５８は、第１および第２金属端プレート９０，１００すべてに結束される。前記パウチバッテリーセル５８は、パウチハウジング７６０、前記パウチハウジング７６０から外側に延長される第１および第２電気端子を含む。前記パウチハウジング７６０は、第１端部７６６、第２端部７６８、および主表面７７０，７７２を含む。前記第１端部７６６は、延長部７８０および傾斜を有する端部表面７８２，７８４を含む。前記延長部７８０は、第１端部および第２端部を有する。前記傾斜を有する端部表面７８２は、前記延長部７８０の第１端部から延長される。前記傾斜を有する端部表面７８４は、前記延長部７８０の第１端部から延長されて前記傾斜を有する端部表面７８２の外側に延長される。前記第２端部７６８は、延長部７９０および傾斜を有する端部表面７９２，７９４を含む。前記延長部７９０は、第１端部および第２端部を有する。前記傾斜を有する端部表面７９２は、前記延長部７９０の第１端部から延長される。前記傾斜を有する端部表面７９４は、前記延長部７９０の第１端部から延長されて前記傾斜を有する端部表面７９２の外側に延長される。
【００２３】
前記パウチバッテリーセル６０は、第１および第２金属端プレート９０，１００すべてに結束される。前記パウチバッテリーセル６０は、パウチハウジング８００、前記パウチハウジング８００から外側に延長される第１および第２電気端子を含む。前記パウチハウジング８００は、第１端部８０６、第２端部８０８、および主表面８１０，８１２を含む。前記第１端部８０６は、延長部８２０および傾斜を有する端部表面８２２，８２４を含む。前記延長部８２０は、第１端部および第２端部を有する。前記傾斜を有する端部表面８２２は、前記延長部８２０の第１端部から延長される。前記傾斜を有する端部表面８２４は、前記延長部８２０の第１端部から延長されて前記傾斜を有する端部表面８２２の外側に延長される。前記第２端部８０８は、延長部８３０および傾斜を有する端部表面８３２，８３４を含む。前記延長部８３０は、第１端部および第２端部を有する。前記傾斜を有する端部表面８３２は、前記延長部８３０の第１端部から延長される。前記傾斜を有する端部表面８３４は、前記延長部８３０の第１端部から延長されて前記傾斜を有する端部表面８３２の外側に延長される。
【００２４】
前記パウチバッテリーセル６２は、第１および第２金属端プレート９０，１００すべてに結束される。前記パウチバッテリーセル６２は、パウチハウジング８４０、前記パウチハウジング８４０から外側に延長される第１および第２電気端子を含む。前記パウチハウジング８４０は、第１端部８４６、第２端部８４８、および主表面８５０，８５２を含む。前記第１端部８４６は、延長部８６０および傾斜を有する端部表面８６２，８６４を含む。前記延長部８６０は、第１端部および第２端部を有する。前記傾斜を有する端部表面８６２は、前記延長部８６０の第１端部から延長される。前記傾斜を有する端部表面８６４は、前記延長部８６０の第１端部から延長されて前記傾斜を有する端部表面８６２の外側に延長される。前記第２端部８４８は、延長部８７０および傾斜を有する端部表面８７２，８７４を含む。前記延長部８７０は、第１端部および第２端部を有する。前記傾斜を有する端部表面８７２は、前記延長部８７０の第１端部から延長される。前記傾斜を有する端部表面８７４は、前記延長部８７０の第１端部から延長されて前記傾斜を有する端部表面８７２の外側に延長される。
【００２５】
前記パウチバッテリーセル６４は、第１および第２金属端プレート９０，１００すべてに結束される。前記パウチバッテリーセル６４は、パウチハウジング８８０、前記パウチハウジング８８０から外側に延長される第１および第２電気端子を含む。前記パウチハウジング８８０は、第１端部８８６、第２端部８８８、および主表面８９０，８９２を含む。前記第１端部８８６は、延長部９００および傾斜を有する端部表面９０２，９０４を含む。前記延長部９００は、第１端部および第２端部を有する。前記傾斜を有する端部表面９０２は、前記延長部９００の第１端部から延長される。前記傾斜を有する端部表面９０４は、前記延長部９００の第１端部から延長されて前記傾斜を有する端部表面９０２の外側に延長される。前記第２端部８８８は、延長部９１０および傾斜を有する端部表面９１２，９１４を含む。前記延長部９１０は、第１端部および第２端部を有する。前記傾斜を有する端部表面９１２は、前記延長部９１０の第１端部から延長される。前記傾斜を有する端部表面９１４は、前記延長部９１０の第１端部から延長されて前記傾斜を有する端部表面９１２の外側に延長される。
【００２６】
前記パウチバッテリーセル６６は、第１および第２金属端プレート９０，１００すべてに結束される。前記パウチバッテリーセル６６は、パウチハウジング９２０、前記パウチハウジング９２０から外側に延長される第１および第２電気端子を含む。前記パウチハウジング９２０は、第１端部９２６、第２端部９２８、および主表面９３０，９３２を含む。前記第１端部９２６は、延長部９４０および傾斜を有する端部表面９４２，９４４を含む。前記延長部９４０は、第１端部および第２端部を有する。前記傾斜を有する端部表面９４２は、前記延長部９４０の第１端部から延長される。前記傾斜を有する端部表面９４４は、前記延長部９４０の第１端部から延長されて前記傾斜を有する端部表面９４２の外側に延長される。前記第２端部９２８は、延長部９５０および傾斜を有する端部表面９５２，９５４を含む。前記延長部９５０は、第１端部および第２端部を有する。前記傾斜を有する端部表面９５２は、前記延長部９５０の第１端部から延長される。前記傾斜を有する端部表面９５４は、前記延長部９５０の第１端部から延長されて前記傾斜を有する端部表面９５２の外側に延長される。
【００２７】
前記パウチバッテリーセル６８は、第１および第２金属端プレート９０，１００すべてに結束される。前記パウチバッテリーセル６８は、パウチハウジング９６０、前記パウチハウジング９６０から外側に延長される第１および第２電気端子を含む。前記パウチハウジング９６０は、第１端部９６６、第２端部９６８、および主表面９７０，９７２を含む。前記第１端部９６６は、延長部９８０および傾斜を有する端部表面９８２，９８４を含む。前記延長部９８０は、第１端部および第２端部を有する。前記傾斜を有する端部表面９８２は、前記延長部９８０の第１端部から延長される。前記傾斜を有する端部表面９８４は、前記延長部９８０の第１端部から延長されて前記傾斜を有する端部表面９８２の外側に延長される。前記第２端部９６８は、延長部９９０および傾斜を有する端部表面９９２，９９４を含む。前記延長部９９０は、第１端部および第２端部を有する。前記傾斜を有する端部表面９９２は、前記延長部９９０の第１端部から延長される。前記傾斜を有する端部表面９９４は、前記延長部９９０の第１端部から延長されて前記傾斜を有する端部表面９９２の外側に延長される。
【００２８】
前記パウチバッテリーセル７０は、第１および第２金属端プレート９０，１００すべてに結束される。前記パウチバッテリーセル７０は、パウチハウジング１０００、前記パウチハウジング１０００から外側に延長される第１および第２電気端子を含む。前記パウチハウジング１０００は、第１端部１００６、第２端部１００８、および主表面１０１０，１０１２を含む。前記第１端部１００６は、延長部１０２０および傾斜を有する端部表面１０２２，１０２４を含む。前記延長部１０２０は、第１端部および第２端部を有する。前記傾斜を有する端部表面１０２２は、前記延長部１０２０の第１端部から延長される。前記傾斜を有する端部表面１０２４は、前記延長部１０２０の第１端部から延長されて前記傾斜を有する端部表面１０２２の外側に延長される。前記第２端部１００８は、延長部１０３０および傾斜を有する端部表面１０３２，１０３４を含む。前記延長部１０３０は、第１端部および第２端部を有する。前記傾斜を有する端部表面１０３２は、前記延長部１０３０の第１端部から延長される。前記傾斜を有する端部表面１０３４は、前記延長部１０３０の第１端部から延長されて前記傾斜を有する端部表面１０３２の外側に延長される。
【００２９】
図１および図６〜図８を参照すれば、前記パウチバッテリーセル４０〜７０から熱エネルギーを前記冷媒供給システム２２から前記第１金属端プレート９０を通して流れる冷媒内部に伝達するために第１金属端プレート９０が提供される。前記第１金属端プレート９０は、第１スライド１３００および第２スライド１３０２を有する。前記第１側１３００は、前記パウチバッテリーセル４０〜７０に結束される。前記第２側１３０２は、前記導管９２に結束される。一実施例において、前記第１金属端プレート９０は、アルミニウムから構成される。代替的な一実施例において、前記第１金属端プレート９０は、例えば、銅または鉄のように伝導性を有する他の金属物質から構成されてもよい。
【００３０】
前記第１側１３００は、傾斜を有する表面１３１０、１３１２および溝１３１４；傾斜を有する表面１３２０、１３２２および溝１３２４；傾斜を有する表面１３３０、１３３２および溝１３３４；傾斜を有する表面１３４０、１３４２および溝１３４４；傾斜を有する表面１３５０、１３５２および溝１３５４；傾斜を有する表面１３６０、１３６２および溝１３６４；傾斜を有する表面１３７０、１３７２および溝１３７４；傾斜を有する表面１３８０、１３８２および溝１３８４；傾斜を有する表面１３９０、１３９２および溝１３９４；傾斜を有する表面１４００，１４０２および溝１４０４；傾斜を有する表面１４１０，１４１２および溝１４１４；傾斜を有する表面１４２０，１４２２および溝１４２４；傾斜を有する表面１４３０，１４３２および溝１４３４；傾斜を有する表面１４４０，１４４２および溝１４４４；傾斜を有する表面１４５０，１４５２および溝１４５４；および傾斜を有する表面１４６０，１４６２および溝１４６４を有する。
【００３１】
図６および図７を参照すれば、前記傾斜を有する表面１３１０，１３１２は、第１金属端プレート９０内部に向かって、且つ互いに向かうように延長される。前記溝１３１４は、前記傾斜を有する表面１３１０，１３１２の第１および第２端部の間にそれぞれ配置され、前記第１金属端プレート９０内部にさらに延長される。前記パウチバッテリーセル４０は、前記パウチバッテリーセル４０の延長部４２０が前記第１金属端プレート９０の溝１３１４内に配置され、前記パウチバッテリーセル４０の傾斜を有する端部表面４２２，４２４は、前記第１金属端プレート９０の傾斜を有する表面１３１０，１３１２それぞれの熱伝導性接着部１１０，１１２上にこれらに対向してそれぞれ配置されるように前記第１金属端プレート９０に結束される。
【００３２】
前記傾斜を有する表面１３２０，１３２２は、第１金属端プレート９０内部に向かって、且つ互いに向かうように延長される。前記溝１３２４は、前記傾斜を有する表面１３２０，１３２２の第１および第２端部の間にそれぞれ配置され、前記第１金属端プレート９０内部にさらに延長される。前記パウチバッテリーセル４２は、前記パウチバッテリーセル４２の延長部４６０が前記第１金属端プレート９０の溝１３２４内に配置され、前記パウチバッテリーセル４２の傾斜を有する端部表面４６２，４６４は、前記第１金属端プレート９０の傾斜を有する表面１３２０，１３２２それぞれの熱伝導性接着部１１４，１１６上にこれらに対向してそれぞれ配置されるように前記第１金属端プレート９０に結束される。
【００３３】
前記傾斜を有する表面１３３０，１３３２は、第１金属端プレート９０内部に向かって、且つ互いに向かうように延長される。前記溝１３３４は、前記傾斜を有する表面１３３０，１３３２の第１および第２端部の間にそれぞれ配置され、前記第１金属端プレート９０内部にさらに延長される。前記パウチバッテリーセル４４は、前記パウチバッテリーセル４４の延長部５００が前記第１金属端プレート９０の溝１３３４内に配置され、前記パウチバッテリーセル４４の傾斜を有する端部表面５０２，５０４は前記第１金属端プレート９０の傾斜を有する表面１３３０，１３３２それぞれの熱伝導性接着部１１８，１２０上にこれらに対向してそれぞれ配置されるように前記第１金属端プレート９０に結束される。
【００３４】
前記傾斜を有する表面１３４０，１３４２は、第１金属端プレート９０内部に向かって、且つ互いに向かうように延長される。前記溝１３４４は、前記傾斜を有する表面１３４０，１３４２の第１および第２端部の間にそれぞれ配置され、前記第１金属端プレート９０内部にさらに延長される。前記パウチバッテリーセル４６は、前記パウチバッテリーセル４６の延長部５４０が前記第１金属端プレート９０の溝１３４４内に配置され、前記パウチバッテリーセル４６の傾斜を有する端部表面５４２，５４４は、前記第１金属端プレート９０の傾斜を有する表面１３４０，１３４２それぞれの熱伝導性接着部１２２，１２４上にこれらに対向してそれぞれ配置されるように前記第１金属端プレート９０に結束される。
【００３５】
前記傾斜を有する表面１３５０，１３５２は、第１金属端プレート９０内部に向かって、且つ互いに向かうように延長される。前記溝１３５４は、前記傾斜を有する表面１３５０，１３５２の第１および第２端部の間にそれぞれ配置され、前記第１金属端プレート９０内部にさらに延長される。前記パウチバッテリーセル４８は、前記パウチバッテリーセル４８の延長部５８０が前記第１金属端プレート９０の溝１３５４内に配置され、前記パウチバッテリーセル４８の傾斜を有する端部表面５８２，５８４は、前記第１金属端プレート９０の傾斜を有する表面１３５０，１３５２それぞれの熱伝導性接着部１２６，１２８上にこれらに対向してそれぞれ配置されるように前記第１金属端プレート９０に結束される。
【００３６】
前記傾斜を有する表面１３６０，１３６２は、第１金属端プレート９０内部に向かって、且つ互いに向かうように延長される。前記溝１３６４は、前記傾斜を有する表面１３６０，１３６２の第１および第２端部の間にそれぞれ配置され、前記第１金属端プレート９０内部にさらに延長される。前記パウチバッテリーセル５０は、前記パウチバッテリーセル５０の延長部６２０が前記第１金属端プレート９０の溝１３６４内に配置され、前記パウチバッテリーセル５０の傾斜を有する端部表面６２２，６２４は、前記第１金属端プレート９０の傾斜を有する表面１３６０，１３６２それぞれの熱伝導性接着部１３０，１３２上にこれらに対向してそれぞれ配置されるように前記第１金属端プレート９０に結束される。
【００３７】
前記傾斜を有する表面１３７０，１３７２は、第１金属端プレート９０内部に向かって、且つ互いに向かうように延長される。前記溝１３７４は、前記傾斜を有する表面１３７０，１３７２の第１および第２端部の間にそれぞれ配置され、前記第１金属端プレート９０内部にさらに延長される。前記パウチバッテリーセル５２は、前記パウチバッテリーセル５２の延長部６６０が前記第１金属端プレート９０の溝１３７４内に配置され、前記パウチバッテリーセル５２の傾斜を有する端部表面６６２，６６４は、前記第１金属端プレート９０の傾斜を有する表面１３７０，１３７２それぞれの熱伝導性接着部１３４，１３６上にこれらに対向してそれぞれ配置されるように前記第１金属端プレート９０に結束される。
【００３８】
前記傾斜を有する表面１３８０，１３８２は、第１金属端プレート９０内部に向かって、且つ互いに向かうように延長される。前記溝１３８４は、前記傾斜を有する表面１３８０，１３８２の第１および第２端部の間にそれぞれ配置され、前記第１金属端プレート９０内部にさらに延長される。前記パウチバッテリーセル５４は、前記パウチバッテリーセル５４の延長部７００が前記第１金属端プレート９０の溝１３８４内に配置され、前記パウチバッテリーセル５４の傾斜を有する端部表面７０２，７０４は、前記第１金属端プレート９０の傾斜を有する表面１３８０，１３８２それぞれの熱伝導性接着部１３８，１４０上にこれらに対向してそれぞれ配置されるように前記第１金属端プレート９０に結束される。
【００３９】
前記傾斜を有する表面１３９０，１３９２は、第１金属端プレート９０内部に向かって、且つ互いに向かうように延長される。前記溝１３９４は、前記傾斜を有する表面１３９０，１３９２の第１および第２端部の間にそれぞれ配置され、前記第１金属端プレート９０内部にさらに延長される。前記パウチバッテリーセル５６は、前記パウチバッテリーセル５６の延長部７４０が前記第１金属端プレート９０の溝１３９４内に配置され、前記パウチバッテリーセル５６の傾斜を有する端部表面７４２，７４４は、前記第１金属端プレート９０の傾斜を有する表面１３９０，１３９２それぞれの熱伝導性接着部１４２，１４４上にこれらに対向してそれぞれ配置されるように前記第１金属端プレート９０に結束される。
【００４０】
前記傾斜を有する表面１４００，１４０２は、第１金属端プレート９０内部に向かって、且つ互いに向かうように延長される。前記溝１４０４は、前記傾斜を有する表面１４００，１４０２の第１および第２端部の間にそれぞれ配置され、前記第１金属端プレート９０内部にさらに延長される。前記パウチバッテリーセル５８は、前記パウチバッテリーセル５８の延長部７８０が前記第１金属端プレート９０の溝１４０４内に配置され、前記パウチバッテリーセル５８の傾斜を有する端部表面７８２，７８４は、前記第１金属端プレート９０の傾斜を有する表面１４００，１４０２それぞれの熱伝導性接着部１４６，１４８上にこれらに対向してそれぞれ配置されるように前記第１金属端プレート９０に結束される。
【００４１】
前記傾斜を有する表面１４１０，１４１２は、第１金属端プレート９０内部に向かって、且つ互いに向かうように延長される。前記溝１４１４は、前記傾斜を有する表面１４１０，１４１２の第１および第２端部の間にそれぞれ配置され、前記第１金属端プレート９０内部にさらに延長される。前記パウチバッテリーセル６０は、前記パウチバッテリーセル６０の延長部８２０が前記第１金属端プレート９０の溝１４１４内に配置され、前記パウチバッテリーセル６０の傾斜を有する端部表面８２２，８２４は、前記第１金属端プレート９０の傾斜を有する表面１４１０，１４１２それぞれの熱伝導性接着部１５０，１５２上にこれらに対向してそれぞれ配置されるように前記第１金属端プレート９０に結束される。
【００４２】
前記傾斜を有する表面１４２０，１４２２は、第１金属端プレート９０内部に向かって、且つ互いに向かうように延長される。前記溝１４２４は、前記傾斜を有する表面１４２０，１４２２の第１および第２端部の間にそれぞれ配置され、前記第１金属端プレート９０内部にさらに延長される。前記パウチバッテリーセル６２は、前記パウチバッテリーセル６２の延長部８６０が前記第１金属端プレート９０の溝１４２４内に配置され、前記パウチバッテリーセル６２の傾斜を有する端部表面８６２，８６４は、前記第１金属端プレート９０の傾斜を有する表面１４２０，１４２２それぞれの熱伝導性接着部１５４，１５６上にこれらに対向してそれぞれ配置されるように前記第１金属端プレート９０に結束される。
【００４３】
前記傾斜を有する表面１４３０，１４３２は、第１金属端プレート９０内部に向かって、且つ互いに向かうように延長される。前記溝１４３４は、前記傾斜を有する表面１４３０，１４３２の第１および第２端部の間にそれぞれ配置され、前記第１金属端プレート９０内部にさらに延長される。前記パウチバッテリーセル６４は、前記パウチバッテリーセル６４の延長部９００が前記第１金属端プレート９０の溝１４３４内に配置され、前記パウチバッテリーセル６４の傾斜を有する端部表面９０２，９０４は、前記第１金属端プレート９０の傾斜を有する表面１４３０，１４３２それぞれの熱伝導性接着部１５８，１６０上にこれらに対向してそれぞれ配置されるように前記第１金属端プレート９０に結束される。
【００４４】
前記傾斜を有する表面１４４０，１４４２は、第１金属端プレート９０内部に向かって、且つ互いに向かうように延長される。前記溝１４４４は、前記傾斜を有する表面１４４０、１４４２の第１および第２端部の間にそれぞれ配置され、前記第１金属端プレート９０内部にさらに延長される。前記パウチバッテリーセル６６は、前記パウチバッテリーセル６６の延長部９４０が前記第１金属端プレート９０の溝１４４４内に配置され、前記パウチバッテリーセル６６の傾斜を有する端部表面９４２，９４４は、前記第１金属端プレート９０の傾斜を有する表面１４４０，１４４２それぞれの熱伝導性接着部１６２，１６４上にこれらに対向してそれぞれ配置されるように前記第１金属端プレート９０に結束される。
【００４５】
前記傾斜を有する表面１４５０，１４５２は、第１金属端プレート９０内部に向かって、且つ互いに向かうように延長される。前記溝１４５４は、前記傾斜を有する表面１４５０，１４５２の第１および第２端部の間にそれぞれ配置され、前記第１金属端プレート９０内部にさらに延長される。前記パウチバッテリーセル６８は、前記パウチバッテリーセル６８の延長部９８０が前記第１金属端プレート９０の溝１４５４内に配置され、前記パウチバッテリーセル６８の傾斜を有する端部表面９８２，９８４は、前記第１金属端プレート９０の傾斜を有する表面１４５０，１４５２それぞれの熱伝導性接着部１６６，１６８上にこれらに対向してそれぞれ配置されるように前記第１金属端プレート９０に結束される。
【００４６】
前記傾斜を有する表面１４６０，１４６２は、第１金属端プレート９０内部に向かって、且つ互いに向かうように延長される。前記溝１４６４は、前記傾斜を有する表面１４６０，１４６２の第１および第２端部の間にそれぞれ配置され、前記第１金属端プレート９０内部にさらに延長される。前記パウチバッテリーセル７０は、前記パウチバッテリーセル７０の延長部１０２０が前記第１金属端プレート９０の溝１４６４内に配置され、前記パウチバッテリーセル７０の傾斜を有する端部表面１０２２，１０２４は、前記第１金属端プレート９０の傾斜を有する表面１４６０，１４６２それぞれの熱伝導性接着部１７０，１７２上にこれらに対向してそれぞれ配置されるように前記第１金属端プレート９０に結束される。
【００４７】
図６を参照すれば、前記第１金属端プレート９０の第２側１３０２は、その内部に導管９２を収容するための収容ブラケット１５００，１５０２を有する。前記収容ブラケット１５００は、第１および第２指部１５１０，１５１２および収容表面１５１４を有する。前記収容表面１５１４は、前記第１および第２指部１５１０，１５１２により少なくとも部分的に定義され、前記収容ブラケット１５００内部に延長される。前記収容ブラケット１５０２は、第１および第２指部１５２０，１５２２および収容表面１５２４を有する。前記収容表面１５２４は、前記第１および第２指部１５２０，１５２２により少なくとも部分的に定義され、前記収容ブラケット１５０２内部に延長される。
【００４８】
前記導管９２は、前記収容ブラケット１５００の収容表面１５１４に対向して配置され、前記第１金属端プレート９０の指部１５１０，１５１２の間に配置される。また、前記導管９２は、前記収容ブラケット１５０２の収容表面１５２４に対向して配置され、前記第１金属端プレート９０の指部１５２０，１５２２の間に配置される。前記導管９２は、前記第１金属端プレート９０が前記パウチバッテリーセル４０−７０から冷媒に熱エネルギーを伝達するように前記冷媒供給システム２２からこれを通過して流れる冷媒を有する。前記導管９２は、その間に配置された熱伝導性を有する接着部を活用して前記収容表面１５１４，１５２４に結束されてもよい。
【００４９】
図１および図６〜図８を参照すれば、前記第２金属端プレート１００は、前記パウチバッテリーセル４０−７０から熱エネルギーを前記冷媒供給システム２２から前記第２金属端プレート１００を通して流れる冷媒内部に伝達するために提供される。前記第２金属端プレート１００は、第１側２３００および第２側２３０２を有する。前記第１側２３００は、前記パウチバッテリーセル４０〜７０に結束される。前記第２側２３０２は、前記導管１０２に結束される。一実施例において、前記第２金属端プレート１００は、アルミニウムから構成される。代替的な実施例において、前記第２金属端プレート１００は、例えば、銅または鉄鋼のように熱伝導性がある他の金属物質から構成されてもよい。
【００５０】
前記第１側２３００は、傾斜を有する表面２３１０，２３１２と溝２３１４；傾斜を有する表面２３２０，２３２２と溝２３２４；傾斜を有する表面２３３０，２３３２と溝２３３４；傾斜を有する表面２３４０，２３４２と溝２３４４；傾斜を有する表面２３５０，２３５２と溝２３５４；傾斜を有する表面２３６０，２３６２と溝２３６４；傾斜を有する表面２３７０，２３７２と溝２３７４；傾斜を有する表面２３８０，２３８２と溝２３８４；傾斜を有する表面２３９０，２３９２と溝２３９４；傾斜を有する表面２４００，２４０２と溝２４０４；傾斜を有する表面２４１０，２４１２と溝２４１４；傾斜を有する表面２４２０，２４２２と溝２４２４；傾斜を有する表面２４３０，２４３２と溝２４３４；傾斜を有する表面２４４０，２４４２と溝２４４４；傾斜を有する表面２４５０，２４５２と溝２４５４；および傾斜を有する表面２４６０，２４６２と溝２４６４を有する。
【００５１】
前記傾斜を有する表面２３１０，２３１２は、前記第２金属端プレート１００内部に向かって、且つ互いに向かうように延長される。前記溝２３１４は、前記傾斜を有する表面２３１０，２３１２の第１および第２端部の間にそれぞれ配置され、前記第２金属端プレート１００にさらに延長される。前記パウチバッテリーセル４０は、前記パウチバッテリーセル４０の延長部４３０が前記第２金属端プレート１００の溝２３１４内に配置され、前記パウチバッテリーセル４０の傾斜を有する端部表面４３２，４３４は、前記第２金属端プレート１００の傾斜を有する表面２３１０，２３１２上のそれぞれの熱伝導性を有する前記接着部２１０，２１２上にこれらと対向して配置されるように前記第２金属端プレート１００に結束される。
【００５２】
前記傾斜を有する表面２３２０，２３２２は、前記第２金属端プレート１００内部に向かって、且つ互いに向かうように延長される。前記溝２３２４は、前記傾斜を有する表面２３２０，２３２２の第１および第２端部の間にそれぞれ配置され、前記第２金属端プレート１００にさらに延長される。前記パウチバッテリーセル４２は、前記パウチバッテリーセル４２の延長部４７０が前記第２金属端プレート１００の溝２３２４内に配置され、前記パウチバッテリーセル４２の傾斜を有する端部表面４７２，４７４は、前記第２金属端プレート１００の傾斜を有する表面２３２０，２３２２上のそれぞれの熱伝導性を有する前記接着部２１４，２１６上にこれらと対向して配置されるように前記第２金属端プレート１００に結束される。
【００５３】
前記傾斜を有する表面２３３０，２３３２は、前記第２金属端プレート１００内部に向かって、且つ互いに向かうように延長される。前記溝２３３４は、前記傾斜を有する表面２３３０，２３３２の第１および第２端部の間にそれぞれ配置され、前記第２金属端プレート１００にさらに延長される。前記パウチバッテリーセル４４は、前記パウチバッテリーセル４４の延長部５１０が前記第２金属端プレート１００の溝２３３４内に配置され、前記パウチバッテリーセル４４の傾斜を有する端部表面５１２，５１４は、前記第２金属端プレート１００の傾斜を有する表面２３３０，２３３２上のそれぞれの熱伝導性を有する前記接着部２１８，２２０上にこれらと対向して配置されるように前記第２金属端プレート１００に結束される。
【００５４】
前記傾斜を有する表面２３４０，２３４２は、前記第２金属端プレート１００内部に向かって、且つ互いに向かうように延長される。前記溝２３４４は、前記傾斜を有する表面２３４０，２３４２の第１および第２端部の間にそれぞれ配置され、前記第２金属端プレート１００にさらに延長される。前記パウチバッテリーセル４６は、前記パウチバッテリーセル４６の延長部５５０が前記第２金属端プレート１００の溝２３４４内に配置され、前記パウチバッテリーセル４６の傾斜を有する端部表面５５２，５５４は、前記第２金属端プレート１００の傾斜を有する表面２３４０，２３４２上のそれぞれの熱伝導性を有する前記接着部２２２，２２４上にこれらと対向して配置されるように前記第２金属端プレート１００に結束される。
【００５５】
前記傾斜を有する表面２３５０，２３５２は、前記第２金属端プレート１００内部に向かって、且つ互いに向かうように延長される。前記溝２３５４は、前記傾斜を有する表面２３５０，２３５２の第１および第２端部の間にそれぞれ配置され、前記第２金属端プレート１００にさらに延長される。前記パウチバッテリーセル４８は、前記パウチバッテリーセル４８の延長部５９０が前記第２金属端プレート１００の溝２３５４内に配置され、前記パウチバッテリーセル４８の傾斜を有する端部表面５９２，５９４は、前記第２金属端プレート１００の傾斜を有する表面２３５０，２３５２上のそれぞれの熱伝導性を有する前記接着部２２６，２２８上にこれらと対向して配置されるように前記第２金属端プレート１００に結束される。
【００５６】
前記傾斜を有する表面２３６０，２３６２は、前記第２金属端プレート１００内部に向かって、且つ互いに向かうように延長される。前記溝２３６４は、前記傾斜を有する表面２３６０，２３６２の第１および第２端部の間にそれぞれ配置され、前記第２金属端プレート１００にさらに延長される。前記パウチバッテリーセル５０は、前記パウチバッテリーセル５０の延長部６３０が前記第２金属端プレート１００の溝２３６４内に配置され、前記パウチバッテリーセル５０の傾斜を有する端部表面６３２，６３４は、前記第２金属端プレート１００の傾斜を有する表面２３６０，２３６２上のそれぞれの熱伝導性を有する前記接着部２３０，２３２上にこれらと対向して配置されるように前記第２金属端プレート１００に結束される。
【００５７】
前記傾斜を有する表面２３７０，２３７２は、前記第２金属端プレート１００内部に向かって、且つ互いに向かうように延長される。前記溝２３７４は、前記傾斜を有する表面２３７０，２３７２の第１および第２端部の間にそれぞれ配置され、前記第２金属端プレート１００にさらに延長される。前記パウチバッテリーセル５２は、前記パウチバッテリーセル５２の延長部６７０が前記第２金属端プレート１００の溝２３７４内に配置され、前記パウチバッテリーセル５２の傾斜を有する端部表面６７２，６７４は、前記第２金属端プレート１００の傾斜を有する表面２３７０，２３７２上のそれぞれの熱伝導性を有する前記接着部２３４，２３６上にこれらと対向して配置されるように前記第２金属端プレート１００に結束される。
【００５８】
前記傾斜を有する表面２３８０，２３８２は、前記第２金属端プレート１００内部に向かって、且つ互いに向かうように延長される。前記溝２３８４は、前記傾斜を有する表面２３８０，２３８２の第１および第２端部の間にそれぞれ配置され、前記第２金属端プレート１００にさらに延長される。前記パウチバッテリーセル５４は、前記パウチバッテリーセル５４の延長部７１０が前記第２金属端プレート１００の溝２３８４内に配置され、前記パウチバッテリーセル５４の傾斜を有する端部表面７１２，７１４は、前記第２金属端プレート１００の傾斜を有する表面２３８０，２３８２上のそれぞれの熱伝導性を有する前記接着部２３８，２４０上にこれらと対向して配置されるように前記第２金属端プレート１００に結束される。
【００５９】
前記傾斜を有する表面２３９０，２３９２は、前記第２金属端プレート１００内部に向かって、且つ互いに向かうように延長される。前記溝２３９４は、前記傾斜を有する表面２３９０，２３９２の第１および第２端部の間にそれぞれ配置され、前記第２金属端プレート１００にさらに延長される。前記パウチバッテリーセル５６は、前記パウチバッテリーセル５６の延長部７５０が前記第２金属端プレート１００の溝２３９４内に配置され、前記パウチバッテリーセル５６の傾斜を有する端部表面７５２，７５４は、前記第２金属端プレート１００の傾斜を有する表面２３９０，２３９２上のそれぞれの熱伝導性を有する前記接着部２４２，２４４上にこれらと対向して配置されるように前記第２金属端プレート１００に結束される。
【００６０】
前記傾斜を有する表面２４００，２４０２は、前記第２金属端プレート１００内部に向かって、且つ互いに向かうように延長される。前記溝２４０４は、前記傾斜を有する表面２４００，２４０２の第１および第２端部の間にそれぞれ配置され、前記第２金属端プレート１００にさらに延長される。前記パウチバッテリーセル５８は、前記パウチバッテリーセル５８の延長部７９０が前記第２金属端プレート１００の溝２４０４内に配置され、前記パウチバッテリーセル５８の傾斜を有する端部表面７９２，７９４は、前記第２金属端プレート１００の傾斜を有する表面２４００，２４０２上のそれぞれの熱伝導性を有する前記接着部２４６，２４８上にこれらと対向して配置されるように前記第２金属端プレート１００に結束される。
【００６１】
前記傾斜を有する表面２４１０，２４１２は、前記第２金属端プレート１００内部に向かって、且つ互いに向かうように延長される。前記溝２４１４は、前記傾斜を有する表面２４１０，２４１２の第１および第２端部の間にそれぞれ配置され、前記第２金属端プレート１００にさらに延長される。前記パウチバッテリーセル６０は、前記パウチバッテリーセル６０の延長部８３０が前記第２金属端プレート１００の溝２４１４内に配置され、前記パウチバッテリーセル６０の傾斜を有する端部表面８３２，８３４は、前記第２金属端プレート１００の傾斜を有する表面２４１０，２４１２上のそれぞれの熱伝導性を有する前記接着部２５０，２５２上にこれらと対向して配置されるように前記第２金属端プレート１００に結束される。
【００６２】
前記傾斜を有する表面２４２０，２４２２は、前記第２金属端プレート１００内部に向かって、且つ互いに向かうように延長される。前記溝２４２４は、前記傾斜を有する表面２４２０，２４２２の第１および第２端部の間にそれぞれ配置され、前記第２金属端プレート１００にさらに延長される。前記パウチバッテリーセル６２は、前記パウチバッテリーセル６２の延長部８７０が前記第２金属端プレート１００の溝２４２４内に配置され、前記パウチバッテリーセル６２の傾斜を有する端部表面８７２，８７４は、前記第２金属端プレート１００の傾斜を有する表面２４２０，２４２２上のそれぞれの熱伝導性を有する前記接着部２５４，２５６上にこれらと対向して配置されるように前記第２金属端プレート１００に結束される。
【００６３】
前記傾斜を有する表面２４３０，２４３２は、前記第２金属端プレート１００内部に向かって、且つ互いに向かうように延長される。前記溝２４３４は、前記傾斜を有する表面２４３０，２４３２の第１および第２端部の間にそれぞれ配置され、前記第２金属端プレート１００にさらに延長される。前記パウチバッテリーセル６４は、前記パウチバッテリーセル６４の延長部９１０が前記第２金属端プレート１００の溝２４３４内に配置され、前記パウチバッテリーセル６４の傾斜を有する端部表面９１２，９１４は、前記第２金属端プレート１００の傾斜を有する表面２４３０，２４３２上のそれぞれの熱伝導性を有する前記接着部２５８，２６０上にこれらと対向して配置されるように前記第２金属端プレート１００に結束される。
【００６４】
前記傾斜を有する表面２４４０，２４４２は、前記第２金属端プレート１００内部に向かって、且つ互いに向かうように延長される。前記溝２４４４は、前記傾斜を有する表面２４４０，２４４２の第１および第２端部の間にそれぞれ配置され、前記第２金属端プレート１００にさらに延長される。前記パウチバッテリーセル６６は、前記パウチバッテリーセル６６の延長部９５０が前記第２金属端プレート１００の溝２４４４内に配置され、前記パウチバッテリーセル６６の傾斜を有する端部表面９５２，９５４は、前記第２金属端プレート１００の傾斜を有する表面２４４０，２４４２上のそれぞれの熱伝導性を有する前記接着部２６２，２６４上にこれらと対向して配置されるように前記第２金属端プレート１００に結束される。
【００６５】
前記傾斜を有する表面２４５０，２４５２は、前記第２金属端プレート１００内部に向かって、且つ互いに向かうように延長される。前記溝２４５４は、前記傾斜を有する表面２４５０，２４５２の第１および第２端部の間にそれぞれ配置され、前記第２金属端プレート１００にさらに延長される。前記パウチバッテリーセル６８は、前記パウチバッテリーセル６８の延長部９９０が前記第２金属端プレート１００の溝２４５４内に配置され、前記パウチバッテリーセル６８の傾斜を有する端部表面９９２，９９４は、前記第２金属端プレート１００の傾斜を有する表面２４５０，２４５２上のそれぞれの熱伝導性を有する前記接着部２６６，２６８上にこれらと対向して配置されるように前記第２金属端プレート１００に結束される。
【００６６】
前記傾斜を有する表面２４６０，２４６２は、前記第２金属端プレート１００内部に向かって、且つ互いに向かうように延長される。前記溝２４６４は、前記傾斜を有する表面２４６０，２４６２の第１および第２端部の間にそれぞれ配置され、前記第２金属端プレート１００にさらに延長される。前記パウチバッテリーセル７０は、前記パウチバッテリーセル７０の延長部１０３０が前記第２金属端プレート１００の溝２４６４内に配置され、前記パウチバッテリーセル７０の傾斜を有する端部表面１０３２，１０３４は、前記第２金属端プレート１００の傾斜を有する表面２４６０，２４６２上のそれぞれの熱伝導性を有する前記接着部２７０，２７２上にこれらと対向して配置されるように前記第２金属端プレート１００に結束される。
【００６７】
図６を参照すれば、前記第２金属端プレート１００の第２側２３０２は、前記導管１０２をその内部に収容するための収容ブラケット２５００，２５０２を有する。前記収容ブラケット２５００は、第１および第２指部２５１０，２５１２および収容表面２５１４を有する。前記収容表面２５１４は、第１および第２指部２５１０，２５１２により少なくとも部分的に定義され、前記収容ブラケット２５００内に延長される。前記収容ブラケット２５０２は、第１および第２指部２５２０，２５２２および収容表面２５２４を有する。前記収容表面２５２４は、第１および第２指部２５２０，２５２２により少なくとも部分的に定義され、前記収容ブラケット２５０２内に延長される。
【００６８】
前記導管１０２は、前記収容ブラケット２５００の収容表面２５１４に対向して配置され、前記第２金属端プレート１００の指部２５１０，２５１２の間に配置される。また、前記導管１０２は、前記収容ブラケット２５０２の収容表面２５２４に対向して配置され、前記第２金属端プレート１００の指部２５２０，２５２２の間に配置される。前記導管１０２は、前記第２金属端プレート１００が前記パウチバッテリーセル４０〜７０から冷媒内部に熱エネルギーを伝達するように前記冷媒供給システム２２から自分を通して流れる冷媒を有する。前記導管１０２は、その間に配置される熱伝導性を有する接着部を活用して前記収容表面２５１４，２５２４に結束されてもよい。
【００６９】
図４〜図６を参照すれば、前記端部プレート３００は、その内部を通して延長される開口部２６４０，２６４２，２６５０，２６５２を含む。前記端部プレート３００は、前記第１および第２金属端プレート９０，１００の第１端に対向して配置され、追加的に前記泡層３１０に対向して配置される。
【００７０】
前記端部プレート３０２は、その内部を通して延長される開口部２７４０，２７４２，２７５０，２７５２を含む。前記端部プレート３０２は、第１および第２金属端プレート９０，１００の第２端に対向して配置され、追加的に前記泡層３２６に対向して配置される。
【００７１】
前記軸部材３４０，３４２，３５０，３５２は、前記端部プレート３００内で開口部２６４０，２６４２，２６５０，２６５２を通じてそれぞれ延長され、追加的に前記パウチバッテリーセル４０−７２および前記泡層３１０−３２６が前記端部プレート３００，３０２の間で固定して収容されるように端部プレート３０２内で前記端部プレート３００，３０２を互いに結束させるために開口部２７４０，２７４２，２７５０，２７５２を通じてそれぞれ延長される。
【００７２】
図６を参照すれば、前記泡層３１０は、前記パウチバッテリーセル４０の端部プレート３００および主表面４１０の間に配置され、これらすべてに接触する。前記泡層３１２は、前記パウチバッテリーセル４２の主表面４５２および前記パウチバッテリーセル４４の主表面４９０の間に配置され、これらすべてに接触する。前記泡層３１４は、前記パウチバッテリーセル４６の主表面５３２および前記パウチバッテリーセル４８の主表面５７０の間に配置され、これらすべてに接触する。前記泡層３１６は、前記パウチバッテリーセル５０の主表面６１２および前記パウチバッテリーセル５２の主表面６５２の間に配置され、これらすべてに接触する。前記泡層３１８は、前記パウチバッテリーセル５８の主表面６９２および前記パウチバッテリーセル６０の主表面７３０の間に配置され、これらすべてに接触する。前記泡層３２０は、前記パウチバッテリーセル５８の主表面７７２および前記パウチバッテリーセル６０の主表面８１０の間に配置され、これらすべてに接触する。前記泡層３２２は、前記パウチバッテリーセル６２の主表面８５２および前記パウチバッテリーセル６４の主表面８９０の間に配置され、これらすべてに接触する。前記泡層３２４は、前記パウチバッテリーセル６６の主表面９３２および前記パウチバッテリーセル６８の主表面９７０の間に配置され、これらすべてに接触する。前記泡層３２６は、前記パウチバッテリーセル７０の主表面１０１２および前記端部プレート３０２の間に配置され、これらすべてに接触する。
【００７３】
図４、図６、図１３、および図１４を参照すれば、前記相互連結ボード３３０は、前記端部プレート３００，３０２の間に配置されてこれらに結束される。前記相互連結ボード３３０は、多数の電気タブ２８３０を活用して前記パウチバッテリーセル４０〜７０に互いに電気的に結束される。前記相互連結ボード３３０は、中央壁２８００、第１側壁２８０２、第２側壁２８０４、Ｃ字形態の結束タブ２８１０，２８１２，２８１４，２８１６、および多数の電気タブ２８３０を含む。一実施例において、前記中央壁２８００、前記第１側壁２８０２、前記第２側壁２００４、および前記Ｃ字形態の結束タブ２８１０，２８１２，２８１４，２８１６は、プラスチックから構成される。
【００７４】
前記第１側壁２８０２は、前記中央壁２８００の第１端部に結束される。前記第１側壁２８０２は、前記側壁を通して延長され、自分を通して軸部材３４０（図４に図示）を収容するように構成された開口部２８４０を含む。
【００７５】
前記第２側壁２８０４は、前記中央壁２８００の第２端部に結束される。前記第２側壁２８０４は、前記側壁を通して延長され、自分を通して軸部材３５０（図４に図示）を収容するように構成された開口部２８５０を含む。
【００７６】
前記Ｃ字形態の結束タブ２８１０，２８１２は、前記第１側壁２８０２に結束されてこれから遠くなるように延長される。前記Ｃ字形態の結束タブ２８１０，２８１２は、その中に前記導管９２部分を保有するように構成される。
【００７７】
前記Ｃ字形態の結束タブ２８１４，２８１６は、前記第１側壁２８０４に結束されてこれから遠くなるように延長される。前記Ｃ字形態の結束タブ２８１４，２８１６は、その中に前記導管１０２部分を保有するように構成される。
【００７８】
図４、図１５および図１６を参照すれば、前記の側面部材３３４は、前記端部プレート３００，３０２の間に配置されてこれらに結束される。前記の側面部材３３４は、中央壁２９００、第１側壁２９０２、第２側壁２９０４、Ｃ字形態の結束タブ２９１０，２９１２，２９１４，２９１６を含む。一実施例において、前記中央壁２９００、前記第１側壁２９０２、前記第２側壁２９０４、および前記Ｃ字形態の結束タブ２９１０，２９１２，２９１４，２９１６は、プラスチックから構成される。
【００７９】
前記第１側壁２９０２は、前記中央壁２９００の第１端部に結束される。前記第１側壁２９０２は、前記側壁を通して延長され、自分を通して軸部材３４２（図４に図示）を収容するように構成された開口部２８４２を含む。
【００８０】
前記第２側壁２９０４は、前記中央壁２９００の第２端部に結束される。前記第２側壁２９０４は、前記側壁を通して延長され、自分を通して軸部材３５２（図４に図示）を収容するように構成された開口部２９５２を含む。
【００８１】
前記Ｃ字形態の結束タブ２９１０，２９１２は、前記第１側壁２９０２に結束されてこれから遠くなるように延長される。前記Ｃ字形態の結束タブ２９１０，２９１２は、その中に前記導管９２部分を保有するように構成される。
【００８２】
前記Ｃ字形態の結束タブ２９１４，２９１６は、前記第１側壁２９０４に結束されてこれから遠くなるように延長される。前記Ｃ字形態の結束タブ２９１４，２９１６は、その中に前記導管１０２部分を収容するように構成される。
【００８３】
図１〜図４を参照すれば、前記冷媒供給システム２２は、前記導管９２，１０２に流体を通して連結される。前記冷媒供給システム２２は、冷媒を前記導管９２に連結し、冷媒を前記導管９２から収容する。また、前記冷媒供給システム２２は、冷媒を前記導管１０２に連結し、冷媒を前記導管１０２から収容する。
【００８４】
本明細書に記述されたバッテリーシステムは、他のバッテリーシステムに比べて実質的な利点を提供する。特に、本バッテリーシステムの利点は、前記システムがパウチバッテリーセルの間に配置される冷却ピンを用いることなく、前記パウチバッテリーセルから金属端プレートに熱エネルギーを伝達し、また、前記金属端プレートを通して流れる冷媒に熱エネルギーを伝達するために熱伝導性を有する接着部を通してバッテリーモジュールのパウチバッテリーセルの端部に結束される金属端プレートを活用する。
【００８５】
請求された発明が制限された個数の実施例のみと関連して詳細に記述されたが、本発明がこのように開示された実施例に限定されてはならないことは簡単に理解するはずである。むしろ、請求された発明は、本明細書で記述されていない如何なる数の変形、変更、代替または均等な配置にも修正可能であるが、これは本発明の思想および範囲に符合するものである。追加的に、請求された発明の多様な実施例が記述されてはいるが、本発明の側面は、前記記述された実施例の一部のみを包含できるということは理解されるべきである。したがって、請求された発明は、前述の説明により制限されると解釈されてはならない。
【産業上の利用可能性】
【００８６】
以上で説明したとおり、本発明による電池パックは、バッテリーモジュールのパウチバッテリーセルの間に配置される冷却ピンを用いることなく、パウチバッテリーセルの端部に結束される金属端プレートを活用してパウチバッテリーセルから熱エネルギーを、金属端プレートを通して流れる冷媒に伝達するようにすることによって、バッテリーシステムの全体体積と重量を減らすことができるだけでなく、向上した冷却システムを実現することができる。
【符号の説明】
【００８７】
１０  電力供給システム
２０  バッテリーシステム
２２  冷媒供給システム
４０，４２，４４，４６，４８，５０，５２，５４，５６，５８，６０，６２，６４，６６，６８，７０  パウチバッテリーセル
９０  第１金属端プレート
９２  導管
１００  第２金属端プレート
１０２  導管
１１０，１１２，１１４，１１６，１１８，１２０，１２２，１２４，１２６，１２８，１３０１３２，１３４，１３６，１３８，１４０，１４２，１４４，１４６，１４８，１５０，１５２，１５４，１５６，１５８，１６０，１６２，１６４，１６６，１６８，１７０，１７２，２１０，２１２，２１４，２１６，２１８，２２０，２２２，２２４，２２６，２２８，２３０，２３２，２３４，２３６，２３８，２４０，２４２，２４４，２４６，２４８，２５０，２５２，２５４，２５６，２５８，２６０，２６２，２６４，２６６，２６８，２７０，２７２  接着部分
プレート３００，３０２  端部
３１０，３１２，３１４，３１６，３１８，３２０，３２２，３２４，３２６  泡層
３３０  相互連結ボード
３３２  カバー
３３４  側面部材
３４０，３４２，３５０，３５２  軸部材
【図１】
2019501502.tif 000003
【図２】
2019501502.tif 000004
【図３】
2019501502.tif 000005
【図４】
2019501502.tif 000006
【図５】
2019501502.tif 000007
【図６】
2019501502.tif 000008
【図７】
2019501502.tif 000009
【図８】
2019501502.tif 000010
【図９】
2019501502.tif 000011
【図１０】
2019501502.tif 000012
【図１１】
2019501502.tif 000013
【図１２】
2019501502.tif 000014
【図１３】
2019501502.tif 000015
【図１４】
2019501502.tif 000016
【図１５】
2019501502.tif 000017
【図１６】
2019501502.tif 000018
【図１７】
2019501502.tif 000019
【図１８】
2019501502.tif 000020
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
バッテリーシステムであって、
第１側および第２側を有する第１金属端プレートであって、前記第１金属端プレートの第１側は、傾斜を有する第１表面と第２表面および第１溝を有し、前記第１金属端プレートの第１溝は、前記第１金属端プレートの傾斜を有する第１表面と第２表面の第１端部と第２端部の間にそれぞれ配置される第１金属端プレートと、
第１端部がある第１パウチハウジングを有する第１パウチバッテリーセルであって、前記第１パウチハウジングの第１端部は、第１延長部および傾斜を有する第１端部表面と第２端部表面を有する第１パウチバッテリーセルと、
前記第１金属端プレートの傾斜を有する第１端部表面と第２端部表面上にそれぞれ配置される第１および第２熱伝導性接着部と、
を含み、
前記第１パウチバッテリーセルは、前記第１パウチバッテリーセルの第１延長部が前記第１金属端プレートの前記第１溝内に配置され、前記第１パウチバッテリーセルの傾斜を有する第１および第２端部表面は、前記第１金属端プレートの傾斜を有する第１および第２表面それぞれの第１および第２熱伝導性接着部上にこれらに対向してそれぞれ配置されるように前記第１金属端プレートに結束されることを特徴とするバッテリーシステム。
【請求項２】
前記第１金属端プレートは、傾斜を有する第３表面と第４表面および第２溝を有し、前記第１金属端プレートの第２溝は、前記第１金属端プレートの傾斜を有する第３表面と第４表面の第１端部と第２端部の間にそれぞれ配置され、
前記バッテリーシステムは、
第１端部および第２端部がある第２パウチハウジング、および前記バッテリーシステムの第１端部と第２端部の間に配置される第１主表面を有する第２パウチバッテリーセルを有し、
前記第２パウチバッテリーセルの第１主表面は、前記第１パウチバッテリーセルの第１主表面上にこれに直接対向して配置され、
前記第２パウチハウジングの第１端部は、第１延長部および傾斜を有する第１端部表面と第２端部表面を有し、
第３および第４熱伝導性接着部が前記第１金属端プレートの傾斜を有する第３端部表面と第４端部表面上にそれぞれ配置され、
前記第２パウチバッテリーセルは、前記第２パウチバッテリーセルの第１延長部が前記第１金属端プレートの前記第２溝内に配置され、前記第２パウチバッテリーセルの傾斜を有する第１および第２端部表面は、前記第１金属端プレートの傾斜を有する第３表面と第４表面それぞれの上の前記第１金属端プレートの傾斜を有する第１および第２表面それぞれの第３および第４熱伝導性接着部上にこれらに対向してそれぞれ配置されるように前記第１金属端プレートに結束されることを特徴とする、請求項１に記載のバッテリーシステム。
【請求項３】
前記第１金属端プレートの傾斜を有する第３表面と第４表面は、前記第１金属端プレート内部に互いに向かって延長され、前記第１金属端プレートの第２溝は、傾斜を有する第３表面と第４表面よりも前記第１金属端プレート内部にさらに延長され、
前記第２パウチハウジングの第１延長部は、第１端部および第２端部を有し、前記第２パウチハウジングの傾斜を有する第１端部表面は、前記第２パウチハウジングの第１延長部の第１端部から延長され、前記第２パウチハウジングの傾斜を有する第２端部表面は、前記第２パウチハウジングの第１延長部の第１端部から延長されて前記第２パウチハウジングの傾斜を有する第１端部表面から遠くなるように延長されていることを特徴とする、請求項２に記載のバッテリーシステム。
【請求項４】
前記第１金属端プレートの傾斜を有する第１表面と第２表面は、前記第１金属端プレート内部に互いに向かって延長され、
前記第１溝は、傾斜を有する第１表面及び第２表面よりも第１金属端プレート内部にさらに延長されており、
前記第１パウチハウジングは、第２端部を有し、
前記第１パウチハウジングの第１延長部は、第１端部および第２端部を有し、前記第１パウチハウジングの傾斜を有する第１端部表面は、前記第１パウチハウジングの第１延長部の第１端部から延長され、前記第１パウチハウジングの傾斜を有する第２端部表面は、前記第１パウチハウジングの第１延長部の第１端部から延長されて前記第１パウチハウジングの傾斜を有する第１端部表面から遠くなるように延長されており、
前記第１金属端プレートの第２側は、第１および第２指部と第１収容表面を有する第１収容ブラケットを有し、前記第１金属端プレートの第１収容表面は、前記第１金属端プレートの第１および第２指部により少なくとも部分的に定義され、前記第１金属端プレートの第１収容ブラケット内部に延長され、
第１導管部分が前記第１収容ブラケットの第１収容表面に対向して配置され、前記第１金属端プレートの第１および第２指部の間に配置され、前記第１導管部分は、前記第１金属端プレートが前記第１パウチバッテリーセルから冷媒内部に熱エネルギーを伝達するように自分を通して流れる冷媒を有することを特徴とする、請求項１に記載のバッテリーシステム。
【請求項５】
前記第１収容ブラケットの第１収容表面上に配置されて前記第１導管部分を前記第１収容ブラケットに結束させる第３熱伝導性接着部をさらに含むことを特徴とする、請求項４に記載のバッテリーシステム。
【請求項６】
前記第１パウチハウジングの第２端部は、第２延長部を有し、前記第２延長部の長さは、前記第１延長部の長さより大きいことを特徴とする、請求項４に記載のバッテリーシステム。
【請求項７】
前記第１金属端プレートは、アルミニウムから構成されることを特徴とする、請求項１に記載のバッテリーシステム。
【請求項８】
第１側および第２側を有する第２金属端プレートであって、前記第２金属端プレートの第１側は、傾斜を有する第１表面と第２表面および第１溝を有し、前記第２金属端プレートの第１溝は、前記第２金属端プレートの傾斜を有する第１表面と第２表面の第１端部と第２端部の間にそれぞれ配置される第２金属端プレートをさらに含み、
前記第１パウチバッテリーセルの第１パウチハウジングの第２端部は、第２延長部および傾斜を有する第３端部表面と第４端部表面を有し、
前記第１パウチバッテリーセルは、前記第１パウチバッテリーセルの第２延長部が前記第２金属端プレートの第１溝内に配置され、前記第１パウチバッテリーセルの傾斜を有する第３端部表面と第４端部表面は、前記第２金属端プレートの傾斜を有するそれぞれの第１表面と第２表面上の前記第３および第４熱伝導性接着部上にこれらに対向してそれぞれ配置されるように第２金属端プレートにさらに結束されることを特徴とする、請求項２に記載のバッテリーシステム。
【請求項９】
前記第２金属端プレートは、アルミニウムから構成されることを特徴とする、請求項８に記載のバッテリーシステム。
【請求項１０】
前記第２金属端プレートの傾斜を有する第１表面と第２表面は、前記第２金属端プレート内部に互いに向かって延長され、
前記第２金属端プレートの第１溝は、前記第２金属端プレートの傾斜を有する第１表面と第２表面よりも前記第２金属端プレート内部にさらに延長され、
前記第１パウチハウジングの第２延長部は、第１端部および第２端部を有し、前記第１パウチハウジングの傾斜を有する第３端部表面は、前記第１パウチハウジングの第２延長部の第１端部から延長され、前記第１パウチハウジングの傾斜を有する第４端部表面は、前記第１パウチハウジングの第２延長部の第１端部から延長されて前記第１パウチハウジングの傾斜を有する第３端部表面から遠くなるように延長され、
前記第２金属端プレートの第２側は、第１および第２指部および第２収容表面がある第２収容ブラケットを有し、前記第２金属端プレートの第１収容表面は、前記第２金属端プレートの第１および第２指部により少なくとも部分的に定義され、前記第２金属端プレートの第１収容ブラケット内部に延長され、
第２導管部分が前記第２収容ブラケットの第１収容表面上に配置され、前記第２金属端プレートの第１および第２指部の間に配置され、前記第２導管部分は、前記第２金属端プレートが前記第１パウチバッテリーセルから冷媒内部に熱エネルギーを伝達するように前記第２導管部分を通して流れる冷媒を有することを特徴とする、請求項８に記載のバッテリーシステム。
【国際調査報告】
2019501502.tif 000021
2019501502.tif 000022
2019501502.tif 000023
2019501502.tif 000024